(57)【要約】      （修正有）【課題】流体の流通を切り替えた際に入口ポートから流入する流体を比重によって分離可能とし得る流体切替弁を実現する。【解決手段】このため、流体の流通を第１出口ポート側に切り替える場合に、駆動機構を構成するソレノイド２６を非励磁状態とし、スプリングの付勢力により第１ダイヤフラム４６を第１中間路４２から離間する方向に移動させるとともに、第２ダイヤフラム５１を第２中間路に接近する方向に移動させ、第１入口分岐ポート部３８と第１出口ポートとを連通するように切り替え、流体の流通を第２出口ポート側に切り替える場合には、駆動機構を構成するソレノイドを励磁状態とし、第１ダイヤフラムを第１中間路に近接する方向に移動させ、第２ダイヤフラムを第２中間路から離間する方向に移動させ、第２入口分岐ポート部３９と第２出口ポートとを連通するように切り替える流体切替弁とした。【選択図】図１
2012225481.tif 000002
【特許請求の範囲】
【請求項１】
アクチュエータ部により駆動される弁機構部を設け、
前記アクチュエータ部は固定鉄芯にソレノイドを外装した駆動機構により前記弁機構部に向かい軸方向駆動される軸部材としてプッシュピンを軸方向移動可能に保持したプランジャを設け、
前記弁機構部は流体の流通を許容・停止する電磁弁から流体の吐出口に至る流体通路を形成する流体チューブの途中に介装されるボディを設け、
このボディには前記電磁弁側の流体チューブが接続される入口ポートに高さ位置の異なる２個の第１、第２入口分岐ポート部を設けるとともに、
前記吐出口側の２個の第１、第２流体チューブが夫々接続される２個の第１、第２出口ポートを設け、
これら第１入口分岐ポート部及び第１出口ポートに連通する第１中間路に第１連通路により連通されるとともに第１ダイヤフラムにより区画される第１容積変化室を設ける一方、
前記第２入口分岐ポート部及び第２出口ポートに連通する第２中間路に第２連通路により連通されるとともに第２ダイヤフラムにより区画される第２容積変化室を設け、
前記第１中間路を挟んで前記アクチュエータ部側に前記軸部材の軸方向と交差する方向に指向する第１ガイド溝を設け、
この第１ガイド溝に前記軸部材であるプランジャの軸方向に移動可能に第１シフトプレートを内蔵して設け、
この第１シフトプレートの前記アクチュエータ部側の中央部位に前記軸部材を構成するプッシュピンの端部を当接させて設け、
前記第２中間路を挟んで前記第１ガイド溝と反対側にこの第１ガイド溝に対して平行な第２ガイド溝を設け、
この第２ガイド溝に前記軸部材であるプランジャの軸方向に移動可能に第２シフトプレートを内蔵して設け、
前記第１シフトプレートの前記第１中間路側の中央部位に前記第１ダイヤフラムを取り付け、
前記第２シフトプレートの前記第２中間路側の中央部位に前記第２ダイヤフラムを取り付けるとともに
この第２シフトプレートの前記第２中間路と反対側にスプリングを弾性付勢して設け、
前記第１シフトプレートの前記第１中間路側の両端部位に夫々一端側を当接されるとともに前記第２シフトプレートの前記第２中間路側の両端部位に夫々他端側を当接される複数本のシフトピンを設け、
流体の流通を前記第１出口ポート側に切り替える場合に、前記駆動機構を構成するソレノイドを非励磁状態とし、前記スプリングの付勢力により第１ダイヤフラムを第１中間路から離間する方向に移動させるとともに、前記第２ダイヤフラムを前記第２中間路に接近する方向に移動させ、前記第１入口分岐ポート部と前記第１出口ポートとを連通するように切り替え、
流体の流通を前記第２出口ポート側に切り替える場合には、前記駆動機構を構成するソレノイドを励磁状態とし、前記第１ダイヤフラムを第１中間路に近接する方向に移動させるとともに、前記第２ダイヤフラムを前記第２中間路から離間する方向に移動させ、前記第２入口分岐ポート部と前記第２出口ポートとを連通するように切り替えることを特徴とする流体切替弁。
【発明の詳細な説明】
【技術分野】
【０００１】
この発明は流体切替弁に係り、特に流体の流通を切り替える電磁弁により流体の流通を切り替えた際に入口ポートから流入する流体を比重によって分離可能とする流体切替弁に関するものである。
【背景技術】
【０００２】
近時、製品の製造や物質の化学分析等に様々な流体を使用しており、このような流体を制御する装置が各種提案されている。
流体を制御する装置には、要求量に応じた流体の供給を制御する弁や、流体を切替制御する弁などを設けている。
そして、流体を切替制御する弁としては、流体の流通をソレノイドを利用して切り替え制御する方策などが提案されている。
【先行技術文献】
【特許文献】
【０００３】
【特許文献１】特開平７−０７７２８５号公報
【特許文献２】特許第３６０６９５６号公報
【発明の概要】
【発明が解決しようとする課題】
【０００４】
ところで、従来の流体切替弁においては、流体の各通路に夫々流体切替弁を配設し、これらの流体切替弁を切り替え制御する方策がある。
また、１本の上流側通路と複数本の下流側通路との間に３ポート切替弁などからなる複数ポート切替弁を配設し、この複数ポート切替弁を切替制御して、上流側通路と所定の下流側通路とを連通する方策もある。
しかし、従来の流体切替弁は、流体の比重を利用して分離を行う流体切替弁ではなかった。
つまり、流体においては、「水」と「油」、あるいは、「泡」と「液体」のように、同一通路を通過する流体内に２種類以上の流体が混在している場合がある。
このような混在する２種類以上の流体を分離できる流体切替弁はなく、開発が切望されていた。
【０００５】
この発明の目的は、流体の流通を切り替えた際に入口ポートから流入する流体を比重によって分離可能とし得る流体切替弁を実現することにある。
【課題を解決するための手段】
【０００６】
そこで、この発明は、上述不都合を除去するために、アクチュエータ部により駆動される弁機構部を設け、前記アクチュエータ部は固定鉄芯にソレノイドを外装した駆動機構により前記弁機構部に向かい軸方向駆動される軸部材としてプッシュピンを軸方向移動可能に保持したプランジャを設け、前記弁機構部は流体の流通を許容・停止する電磁弁から流体の吐出口に至る流体通路を形成する流体チューブの途中に介装されるボディを設け、このボディには前記電磁弁側の流体チューブが接続される入口ポートに高さ位置の異なる２個の第１、第２入口分岐ポート部を設けるとともに、前記吐出口側の２個の第１、第２流体チューブが夫々接続される２個の第１、第２出口ポートを設け、これら第１入口分岐ポート部及び第１出口ポートに連通する第１中間路に第１連通路により連通されるとともに第１ダイヤフラムにより区画される第１容積変化室を設ける一方、前記第２入口分岐ポート部及び第２出口ポートに連通する第２中間路に第２連通路により連通されるとともに第２ダイヤフラムにより区画される第２容積変化室を設け、前記第１中間路を挟んで前記アクチュエータ部側に前記軸部材の軸方向と交差する方向に指向する第１ガイド溝を設け、この第１ガイド溝に前記軸部材であるプランジャの軸方向に移動可能に第１シフトプレートを内蔵して設け、この第１シフトプレートの前記アクチュエータ部側の中央部位に前記軸部材を構成するプッシュピンの端部を当接させて設け、前記第２中間路を挟んで前記第１ガイド溝と反対側にこの第１ガイド溝に対して平行な第２ガイド溝を設け、この第２ガイド溝に前記軸部材であるプランジャの軸方向に移動可能に第２シフトプレートを内蔵して設け、前記第１シフトプレートの前記第１中間路側の中央部位に前記第１ダイヤフラムを取り付け、前記第２シフトプレートの前記第２中間路側の中央部位に前記第２ダイヤフラムを取り付けるとともにこの第２シフトプレートの前記第２中間路と反対側にスプリングを弾性付勢して設け、前記第１シフトプレートの前記第１中間路側の両端部位に夫々一端側を当接されるとともに前記第２シフトプレートの前記第２中間路側の両端部位に夫々他端側を当接される複数本のシフトピンを設け、流体の流通を前記第１出口ポート側に切り替える場合に、前記駆動機構を構成するソレノイドを非励磁状態とし、前記スプリングの付勢力により第１ダイヤフラムを第１中間路から離間する方向に移動させるとともに、前記第２ダイヤフラムを前記第２中間路に接近する方向に移動させ、前記第１入口分岐ポート部と前記第１出口ポートとを連通するように切り替え、流体の流通を前記第２出口ポート側に切り替える場合には、前記駆動機構を構成するソレノイドを励磁状態とし、前記第１ダイヤフラムを第１中間路に近接する方向に移動させるとともに、前記第２ダイヤフラムを前記第２中間路から離間する方向に移動させ、前記第２入口分岐ポート部と前記第２出口ポートとを連通するように切り替えることを特徴とする。
【発明の効果】
【０００７】
以上詳細に説明した如くこの発明によれば、流体切替弁は、流体の流通を前記第１出口ポート側に切り替えて前記第１入口分岐ポート部と前記第１出口ポートとを連通させる一方、流体の流通を前記第２出口ポート側に切り替えて前記第２入口分岐ポート部と前記第２出口ポートとを連通させ、流体の流通を切り替えた際に入口ポートから流入する流体を比重によって分離可能とし得る。
【図面の簡単な説明】
【０００８】
【図１】図１は容積変化弁の拡大断面正面図である。（実施例）
【図２】図２は容積変化弁の使用状態の説明図である。（実施例）
【図３】図３は容積変化弁の拡大平面図である。（実施例）
【図４】図４は容積変化弁の拡大断面右側面図である。（実施例）
【発明を実施するための形態】
【０００９】
以下図面に基づいてこの発明の実施例を詳細に説明する。
【実施例】
【００１０】
図１〜図４はこの発明の実施例を示すものである。
図２において、１は流体制御装置、２は制御部、３は電磁弁、４は流体チューブ、５は流体切替弁である。
前記流体制御装置１は、図２に示す如く、前記制御部２により前記電磁弁３を動作制御し、前記流体チューブ４内の流体の流通を許容・停止する。
【００１１】
前記電磁弁３は、アクチュエータ部６と弁機構部７とからなる。
このとき、前記アクチュエータ部６は、固定鉄芯８にソレノイド９を外装して設け、このソレノイド９により前記弁機構部７に向って軸方向駆動されるプランジャ１０を設け、このプランジャ１０にプッシュピン１１の一端側の端部を取り付けて、前記固定鉄芯８の挿通孔１２に挿通させている。
また、前記ソレノイド９は、電路Ｗにより制御部４に接続される。
【００１２】
前記弁機構部７は、前記固定鉄芯８に取り付けられるボディ１３に入口ポート１４及び出口ポート１５を設けている。
この入口ポート１４には、図示しない流体供給源を接続する。
また、前記出口ポート１５には、前記流体チューブ４の一端側を接続している。
この流体チューブ４は、他端側に吐出口１６を設け、流体通路１７を形成している。
【００１３】
また、前記弁機構部７は、入口ポート１４及び出口ポート１５を連通する通路１８を設け、この通路１８を開閉するダイヤフラム１９をシフトプレート２０に取り付けて設ける。
そして、このシフトプレート２０を前記プッシュピン１１側に押圧するスプリング２１を設け、シフトプレート２０に前記プッシュピン１１の他端側を当接させている。
【００１４】
更に、前記電磁弁３は、前記制御部２により前記ソレノイド９を非励磁状態にされると、前記スプリング２１によりダイヤフラム１９を通路１８から離間する方向に移動させてこの通路１８を開放し、流体の流通を許容する。
また、前記電磁弁３は、前記制御部２により前記ソレノイド９を励磁状態にされると、前記プランジャ１０のプッシュピン１１によりシフトプレート２０を介してダイヤフラム１９を通路１８に接近する方向に移動させてこの通路１８を閉鎖し、流体の流通を停止する。
【００１５】
前記流体切替弁５は、流体の流通を許容・停止する前記電磁弁３から流体の前記吐出口１６に至る前記流体通路１７を形成する前記流体チューブ４の途中に介装される。
前記流体切替弁５は、前記アクチュエータ部２２を設けるとともに、このアクチュエータ部２２により駆動される弁機構部２３を設けている。
【００１６】
前記アクチュエータ部２２は、図２に示す如く、ハウジング２４内に駆動機構として固定鉄芯２５にソレノイド２６を外装して設け、このソレノイド２６内に軸部材としてのプランジャ２７を軸方向移動可能に保持している。
また、前記ソレノイド２６は、電路Ｗにより前記制御部２に接続されている。
前記プランジャ２７は、ソレノイド２６により前記弁機構部２３に向い軸方向駆動される。
【００１７】
前記プランジャ２７は、保持孔２８を設けており、一端側を軸方向移動可能に支持され、キャップ２９により複数本の固定ボルトＢを使用して前記ハウジング２４に固定されている。
このとき、前記プランジャ２７の保持孔２８には、プッシュピン３０の上端側を軸方向移動可能に保持している。
このプッシュピン３０の中間部位側は、前記固定鉄芯２５の挿通孔３１に軸方向移動可能に保持される。
【００１８】
また、前記プッシュピン３０は、上端側を前記プランジャ２７の保持孔２８にネジ機構３２により取り付けられている。
そして、前記プランジャ２７及び前記プッシュピン３０は、このプッシュピン３０を回転させるとネジ機構３２により相対移動され、プランジャ２７と固定鉄芯２５との隙間Ｓが増減される。
これにより、前記プランジャ２７は、ストロークを調整することができる。
【００１９】
前記弁機構部２３は、流体の流通を許容・停止する前記電磁弁３から流体の吐出口１６に至る流体通路１７を形成する前記流体チューブ４の途中に介装されるボディ３３を設けている。
したがって、前記流体チューブ４は、図１に示す如く、電磁弁３側の入口用流体チューブ３４と前記吐出口１６側の２個の第１、第２流体チューブ３５、３６とに分割されている。
【００２０】
前記ボディ３３は、前記アクチュエータ部２２の固定鉄芯２４に取り付けられる。
そして、前記ボディ３３には、図１及び図２に示す如く、前記電磁弁３側の入口用流体チューブ３４が接続される入口ポート３７に高さ位置の異なる２個の第１、第２入口分岐ポート部３８、３９を設けるとともに、これらの２個の第１、第２流体チューブ３８、３９が夫々接続される２個の第１、第２出口ポート４０、４１を設けている。
【００２１】
これら第１入口分岐ポート部３８及び第１出口ポート４０に連通する第１中間路４２により連通される一方、前記第２入口分岐ポート部３９及び第２出口ポート４１に連通する第２中間路４３により連通されている。
【００２２】
そして、前記第１中間路４２の前記アクチュエータ部２２側に第１中間路４２に第１連通路４４により連通される第１窪部４５を設けている。
前記ボディ３３には、この第１窪部４５を覆うように第１ダイヤフラム４６の周囲を第１ダイヤフラム押え４７により取り付けて、第１容積変化室４８を区画して設けている。
また、前記第２中間路４３のアクチュエータ部２２と反対側には、第２中間路４３に第２連通路４９により連通される第２窪部５０を設けている。
前記ボディ３３には、この第２窪部５０を覆うように第２ダイヤフラム５１の周囲を第２ダイヤフラム押え５２により取り付けて、第２容積変化室５３を区画して設けている。
【００２３】
前記ボディ３３には、前記第１中間路４２を挟んで前記アクチュエータ部２２側に前記軸部材である前記プランジャ２７の軸方向と交差する方向に指向する第１ガイド溝５４を設けている。
そして、この第１ガイド溝５４には、前記プランジャ２７の軸方向に移動可能に細長い板形状の第１シフトプレート５５を内蔵して設けている。
この第１シフトプレート５５の中央凹所には、前記アクチュエータ部２２側の中央部位に前記軸部材を構成するプッシュピン３０の下端側を当接させて設けている。
また、前記ボディ３３には、前記第２中間路４３を挟んで前記第１ガイド溝５４と反対側にこの第１ガイド溝５４に対して平行な第２ガイド溝５６を設けている。
そして、この第２ガイド溝５６には、前記プランジャ２７の軸方向に移動可能に細長い板形状の第２シフトプレート５７を内蔵して設けている。
【００２４】
前記第１シフトプレート５５の前記第１中間路４２側の中央部位に前記第１ダイヤフラム４６を取り付けている。
また、前記第２シフトプレート５７の前記第２中間路４３側の中央部位に前記第２ダイヤフラム５１を取り付けるとともに、この第２シフトプレート５７の前記第２中間路４３と反対側にスプリング５８を弾性付勢して設けている。
このスプリング５８は、一端側を第２シフトプレート５７に弾性支持して設けるとともに、他端側をボディ３３とともに固定鉄芯２５に取り付けられるベース５９の支持孔６０に支持して設け、第２シフトプレート５７を第２中間路４３側に弾性付勢している。
このとき、前記支持孔６０内部と外部大気とを連通するために、前記ボディ３３の支持孔６０の底部に大気連通孔６１を設けている。
【００２５】
前記ボディ３３及び第１ダイヤフラム押え４７には、第１ガイド溝５４の長手方向の両端部位と第２ガイド溝５６の長手方向の両端部位とを夫々連通する複数の嵌挿孔６２を設けている。
そして、この嵌挿孔６２には、複数本のシフトピン６３が軸方向移動可能に夫々嵌挿される。
このとき、シフトピン６３は、夫々両端が第１ガイド溝５４及び第２ガイド溝５６の両端部位からわずかに突出される長さに形成される。
また、複数本のシフトピン６３は、前記第１シフトプレート５５に夫々一端側が当接されるとともに、前記第２シフトプレート５７に夫々他端側を当接される。
【００２６】
そして、前記流体制御装置１は、流体の流通を前記第１出口ポート４０側に切り替える場合に、前記駆動機構を構成するソレノイド２６を非励磁状態とし、前記スプリング５８の付勢力により前記第１ダイヤフラム４６を前記第１中間路４２から離間する方向に移動させるとともに、前記第２ダイヤフラム５１を前記第２中間路４３に接近する方向に移動させ、前記第１入口分岐ポート部３８と前記第１出口ポート４０とを連通するように切り替える一方、流体の流通を前記第２出口ポート４１側に切り替える場合には、前記駆動機構を構成するソレノイド２６を励磁状態とし、前記第１ダイヤフラム４６を第１中間路４２に近接する方向に移動させるとともに、前記第２ダイヤフラム５１を前記第２中間路４３から離間する方向に移動させ、前記第２入口分岐ポート部３９と前記第２出口ポート４１とを連通するように切り替える構成とする。
詳述すれば、前記流体制御装置１の前記ソレノイド２６を非励磁状態とした際に、図１及び図２、図４に示す如く、前記スプリング５８の付勢力を機能させて、前記第１ダイヤフラム４６を前記第１中間路４２から離間する方向に移動させるとともに、前記第２ダイヤフラム５１を前記第２中間路４３に接近する方向に移動させる。
そして、前記第１入口分岐ポート部３８と前記第１出口ポート４０とを連通するように切り替えるものである。
また、前記流体制御装置１の前記ソレノイド２６を励磁状態とした際には、前記第１ダイヤフラム４６を第１中間路４２に近接する方向に移動させるとともに、前記第２ダイヤフラム５１を前記第２中間路４３から離間する方向に移動させる。
そして、前記第２入口分岐ポート部３９と前記第２出口ポート４１とを連通するように切り替えるものである。
【００２７】
次に作用を説明する。
【００２８】
前記流体制御装置１は、前記制御部２により前記電磁弁３を動作制御し、前記流体チューブ４内の流体の流通を許容・停止する。
【００２９】
そして、前記電磁弁３は、制御部２によりソレノイド９が非励磁状態にされると、スプリング２１によりダイヤフラム１９を通路１８から離間する方向に移動させ、通路１８を開放する。
このとき、流体は、流通を許容されて流体チューブ４内の流体通路１７を流れ、吐出口１６から吐出される。
【００３０】
また、前記電磁弁３は、制御部２によりソレノイド９が励磁状態にされると、プランジャ１０のプッシュピン１１によりシフトプレート２０を介してダイヤフラム１９を通路１８に接近する方向に移動させ、通路１８を閉鎖する。
このとき、流体は、流通を停止されて流体チューブ４内の流体通路１７を流れず、吐出口１６からの吐出を停止される。
【００３１】
そして、前記流体通路１７内を流体が流れる状態において、前記流体制御装置１の前記ソレノイド２６を非励磁状態とすると、図２に示す如く、前記スプリング５８の付勢力によって、前記第２ダイヤフラム５１を前記第２中間路４３に接近する方向（図２の矢印Ｘ方向参照）に移動、つまり押し上げ、複数本の前記シフトピン６３を介して、前記第１ダイヤフラム４６を前記第１中間路４２から離間する方向に移動、つまり押し上げる。
このとき、前記第１入口分岐ポート部３８が前記第１ダイヤフラム４６から開放され、前記第１入口分岐ポート部３８が第１連通路４４を介して前記第１出口ポート４０に連通される。
前記流体通路１７が第１出口ポート４０に連通されると、前記流体通路１７内を流れる流体の比重の小さい流体、つまり軽い流体、例えば流体が「水」と「油」とからなる場合は「油」部分、あるいは、流体が「泡」と「液体」とからなる場合は「泡」部分が前記第１出口ポート４０から前記吐出口１６側の第１流体チューブ３５に流れる。
【００３２】
また、前記流体通路１７内を流体が流れる状態において、前記流体制御装置１の前記ソレノイド２６を励磁状態とすると、前記第１ダイヤフラム４６を第１中間路４２に近接する方向（図２の矢印Ｙ方向参照）に移動、つまり押し下げ、前記スプリング５８の付勢力に抗して、複数本の前記シフトピン６３を介して、前記第２ダイヤフラム５１を前記第２中間路４３から離間する方向に移動、つまり押し下げさせる。
このとき、前記第２入口分岐ポート部３９が前記第２ダイヤフラム５１から開放され、前記第２入口分岐ポート部３９が第２連通路４９を介して前記第２出口ポート４１に連通される。
前記流体通路１７が第２出口ポート４１に連通されると、前記流体通路１７内を流れる流体の比重の大きい流体、つまり重い流体、例えば流体が「水」と「油」とからなる場合は「水」部分、あるいは、流体が「泡」と「液体」とからなる場合は「液体」部分が前記第２出口ポート４１から前記吐出口１６側の第２流体チューブ３６に流れる。
【００３３】
これにより、前記流体切替弁５は、流体の流通を前記第１出口ポート４０側に切り替えて前記第１入口分岐ポート部３８と前記第１出口ポート４０とを連通させる一方、流体の流通を前記第２出口ポート４１側に切り替えて前記第２入口分岐ポート部３９と前記第２出口ポート４１とを連通させることができ、流体の流通を切り替えた際に前記入口ポート１４から流入する流体を比重によって分離可能としている。
つまり、流体の流通を前記第１出口ポート４０側に切り替えた場合には、前記流体通路１７内を流れる流体の比重の小さい流体、つまり軽い流体、例えば流体が「水」と「油」とからなる場合は「油」部分、あるいは、流体が「泡」と「液体」とからなる場合は「泡」部分を分離して流すことができる。
また、流体の流通を前記第２出口ポート４１側に切り替えた場合には、前記流体通路１７内を流れる流体の比重の大きい流体、つまり重い流体、例えば流体が「水」と「油」とからなる場合は「水」部分、あるいは、流体が「泡」と「液体」とからなる場合は「液体」部分を分離して流すことができる。
【００３４】
また、前記流体切替弁５においては、プランジャ２７に対してプッシュピン３０を回転させてネジ機構３２により相対移動させ、プランジャ２７と固定鉄芯２５との隙間Ｓを増減させることにより、流体の流通を、前記第１出口ポート４０側に切り替えた場合、あるいは、前記第２出口ポート４１側に切り替えた場合に、分離する割合を変更することが可能である。
【００３５】
更に、前記流体切替弁５の構成を簡略とすることができることにより、故障が少ないとともに、現場でのメンテナンスも容易であり、使い勝手を向上し得るものである。
【００３６】
なお、この発明は上述実施例に限定されるものではなく、種々の応用改変が可能である。
【００３７】
例えば、この発明の実施例においては、前記流体切替弁のアクチュエータ部の駆動機構としてソレノイドを例示したが、モータや空気圧シリンダ・油圧シリンダ等を使用する特別構成とすることも可能である。
【００３８】
また、前記流体切替弁によって流体を比重によって分離する際に、例えば「泡」と「泡」＋「液体」との分離構成、つまり、第１の「泡」と第２の「泡」と第３の「液体」との３種類に分離することが可能であるとともに、この３種類に限らず、細かく４種類以上に分離する特別構成とすることも可能である。
【００３９】
更に、この発明の実施例においては、流体の流通する入口側の第１、第２入口分岐ポート部から出口側の第１、第２出口ポートまでの各通路径を同一とする構成としているが、第１側と第２側との通路径を相違させ、比重によって分離する流体の分離量を変更する特別構成とすることも可能である。
【００４０】
更にまた、前記流体切替弁の第１側と第２側との少なくともいずれか一方の通路途中に通路径を増減させる通路径調整手段を設け、この通路径調整手段によって必要に応じて第１側と第２側との通路径を増減させる特別構成とすることも可能である。
なお、前記通路径調整手段としては、突起を通路内に突出させて通路径を増減させる構成などが考えられる。
【符号の説明】
【００４１】
１  流体制御装置
２  制御部
３  電磁弁
４  流体チューブ
５  流体切替弁
６  アクチュエータ部
１４  入口ポート
１５  出口ポート
１６  吐出口
１７  流体通路
１８  通路
１９  ダイヤフラム
２０  シフトプレート
２１  スプリング
２２  アクチュエータ部
２３  弁機構部
２４  ハウジング
２５  固定鉄芯
２６  ソレノイド
２７  プランジャ
２８  保持孔
２９  キャップ
３０  プッシュピン
３１  挿通孔
３２  ネジ機構
３３  ボディ
３４  入口用流体チューブ
３５、３６  第１、第２流体チューブ
３７  入口ポート
３８、３９  第１、第２入口分岐ポート部
４０、４１  第１、第２出口ポート
４２  第１中間路
４３  第２中間路
４４  第１連通路
４５  第１窪部
４６  第１ダイヤフラム
４７  第１ダイヤフラム押え
４８  第１容積変化室
４９  第２連通路
５０  第２窪部
５１  第２ダイヤフラム
５２  第２ダイヤフラム押え
５３  第２容積変化室
５４  第１ガイド溝
５５  第１シフトプレート
５６  第２ガイド溝
５７  第２シフトプレート
５８  スプリング
６１  大気連通孔
６３  シフトピン
【図１】
2012225481.tif 000003
【図２】
2012225481.tif 000004
【図３】
2012225481.tif 000005
【図４】
2012225481.tif 000006